(57)【要約】【課題】  構造を比較的単純にしてしかも使い勝手のよい包装及びアプリケータ装置を提供する。【解決手段】  本発明は、アプリケータエレメント（５）を担持するベース部分（１０）と；一定の回転軸線（Ｒ）のまわりで回動するようにベース部分に回転可能に装着され、長手方向軸線（Ｙ）を備えたハンドル部分（２０）とを有するアプリケータに関する。回転軸線（Ｒ）及びハンドル部分の長手方向軸線（Ｙ）は相互に垂直ではない。【選択図】      図４
2004255185.tif 000002
【特許請求の範囲】
【請求項１】
アプリケータエレメント（５）を担持し、容器に固定する固定手段を備えたベース部分（１０）と；
一定の回転軸線（Ｒ）のまわりで回動するようにベース部分に回転可能に装着され、長手方向軸線（Ｙ）を備えたハンドル部分（２０）と；
を有し、
回転軸線（Ｒ）及びハンドル部分の長手方向軸線（Ｙ）が相互に垂直ではないことを特徴とするアプリケータ。
【請求項２】
回転軸線（Ｒ）及びハンドル部分の長手方向軸線（Ｙ）が平行ではないことを特徴とする請求項１に記載のアプリケータ。
【請求項３】
回転軸線（Ｒ）及びベース部分の軸線（Ｚ）が相互に垂直ではないことを特徴とする請求項１又は２に記載のアプリケータ。
【請求項４】
ベース部分（１０）及びハンドル部分（２０）が、ベース部分に対して予め画定された少なくとも一つの位置においてハンドル部分をロックできるようにして共動することを特徴とする請求項１〜３のいずれか一項に記載のアプリケータ。
【請求項５】
ベース部分（１０）及びハンドル部分（２０）が、ベース部分に対して予め画定された少なくとも二つつの位置においてハンドル部分をロックできるようにして共動することを特徴とする請求項１〜３のいずれか一項に記載のアプリケータ。
【請求項６】
ハンドル部分（２０）及びベース部分（１０）が、ベース部分に対してハンドル部分の予め画定された位置に到達した時にクリック音を発生するように共動することを特徴とする請求項１〜５のいずれか一項に記載のアプリケータ。
【請求項７】
ベース部分（１０）が容器（２）の閉じキャップとしても機能することを特徴とする請求項１〜６のいずれか一項に記載のアプリケータ。
【請求項８】
ベース部分（１０）が容器（２）の首部（８）に固定するように構成されていることを特徴とする請求項７に記載のアプリケータ。
【請求項９】
ベース部分（１０）が、スナップ嵌め、ねじ込み及び摩擦嵌めの少なくとも一つによって容器（２）に固定するような形態に構成されていることを特徴とする請求項８に記載のアプリケータ。
【請求項１０】
ハンドル部分（２０）及びベース部分（１０）が、ハンドル部分（２０）に対してベース部分（１０）を片手のみで回転できるようにして構成されていることを特徴とする請求項１〜９のいずれか一項に記載のアプリケータ。
【請求項１１】
ベース部分（１０）及びハンドル部分（２０）の少なくとも一方が、外側に、凸状部（１０ａ）をもつ少なくとも一つの部分を備え、それによりすべりを低減していることを特徴とする請求項１〜１０のいずれか一項に記載のアプリケータ。
【請求項１２】
ベース部分（１０）及びハンドル部分（２０）の少なくとも一方が、少なくとも部分的に良好に把持できる材料で構成されていることを特徴とする請求項１〜１１のいずれか一項に記載のアプリケータ。
【請求項１３】
ベース部分（１０）及びハンドル部分（２０）の少なくとも一方が、少なくとも部分的にすべらない材料で構成されていることを特徴とする請求項１〜１２のいずれか一項に記載のアプリケータ。
【請求項１４】
ベース部分（１０）がベース部分（１０）の軸線（Ｚ）に対して傾斜した表面（３１）を含み、この表面（３１）に対してハンドル部分（２０）が支持され、回転軸線（Ｒ）が傾斜した表面に対してほぼ垂直にのびていることを特徴とする請求項１〜１３のいずれか一項に記載のアプリケータ。
【請求項１５】
凸状部（３７、３８；４８）をもつ少なくとも一つの部分が、ベース部分（１０）とハンドル部分（２０）との対向面の少なくとも一方に形成され、ベース部分（１０）に対して予め画定した角度位置でハンドル部分（２０）を容易にロックできるようにしたことを特徴とする請求項１〜１４のいずれか一項に記載のアプリケータ。
【請求項１６】
ベース部分（１０）及びハンドル部分（２０）の少なくとも一方が、ベース部分（１０）及びハンドル部分（２０）の他方のハウジング内に係合するピン（３０；４０）を備えていることを特徴とする請求項１〜１５のいずれか一項に記載のアプリケータ。
【請求項１７】
ベース部分（１０）がピン（３０）を備えていることを特徴とする請求項１６に記載のアプリケータ。
【請求項１８】
ピン（３０）が一端に段部（３０ａ）を備え、ハンドル部分の対応した開口（３５）にスナップ嵌めするようにされていることを特徴とする請求項１７に記載のアプリケータ。
【請求項１９】
ピン（３０）が割りピンであることを特徴とする請求項１６〜１８のいずれか一項に記載のアプリケータ。
【請求項２０】
ハンドル部分（２０）が、ハンドル部分（２０）をスナップ嵌めによりベース部分（１０）に固定できる挿入体（３４）を備えていることを特徴とする請求項１〜２０のいずれか一項に記載のアプリケータ。
【請求項２１】
ハンドル部分（２０）が、ベース部分の対応した開口（４２）にスナップ嵌めするように構成されたピン（４０）を備えていることを特徴とする請求項１６に記載のアプリケータ。
【請求項２２】
ハンドル部分（２０）が、フィン（４５）とこれらフィン（４５）の接続される本体（４６）を備え、本体（４６）がハウジング（４７）を備え、このハウジング（４７）内に、ベース部分（１０）に固定したことを特徴とする請求項１６〜１９のいずれか一項に記載のアプリケータ。
【請求項２３】
ハンドル部分（２０）が、一端にリム（３９）を備えた円筒状本体を含み、リム（３９）には、ベース部分に固定されたピン（３０）をスナップ嵌めできることを特徴とする請求項１６〜１９のいずれか一項に記載のアプリケータ。
【請求項２４】
ベース部分及びハンドル部分の少なくとも一方が少なくとも一つのマーカーを備え、またベース部分及びハンドル部分の他方が、ベース部分に対するハンドル部分の角度位置を確認できるようにするインデックス（５６）を備えていることを特徴とする請求項１〜２３のいずれか一項に記載のアプリケータ。
【請求項２５】
一端でアプリケータエレメントを担持し、他端をベース部分（１０）に固定したステム（４）を含むことを特徴とする請求項１〜２４のいずれか一項に記載のアプリケータ。
【請求項２６】
アプリケータエレメントがブラシ（５）であることを特徴とする請求項２５に記載のアプリケータ。
【請求項２７】
ブラシ（５）が非直線状コア（６）を備えていることを特徴とする請求項２６に記載のアプリケータ。
【請求項２８】
アプリケータエレメントが可撓性端部片、フロック端部片、フォーム又はくしであることを特徴とする請求項１〜２２のいずれか一項に記載のアプリケータ。
【請求項２９】
アプリケータエレメント（５）がベース部分（１０）に取外し可能に接続されることを特徴とする請求項１〜２８のいずれか一項に記載のアプリケータ。
【請求項３０】
ベース部分の軸線（Ｚ）とハンドル部分の軸線（Ｙ）との成す角度（β）が最大である時に、アプリケータエレメント（５）の自由端がハンドル部分（２０）と同じ側に位置することを特徴とする請求項１〜２９のいずれか一項に記載のアプリケータ。
【請求項３１】
固定手段が漏れ密封型であることを特徴とする請求項１〜３０のいずれか一項に記載のアプリケータ。
【請求項３２】
アプリケータエレメントを担持するベース部分と、
一定の回転軸線のまわりで回動するようにベース部分に回転可能に装着され、長手方向軸線を備えたハンドル部分と、
を有し、
回転軸線及びハンドル部分の長手方向軸線が相互に垂直ではなく、
また、アプリケータエレメントが、唇、まぶた、まつげ、眉毛、又は髪の毛に製品を塗るような形態に構成されている
ことを特徴とするアプリケータ。
【請求項３３】
軸線をもち、アプリケータエレメントを担持するベース部分と、
一定の回転軸線のまわりで回動するようにベース部分に回転可能に装着され、長手方向軸線を備えたハンドル部分と；
を有し、
回転軸線のまわりでハンドル部分を回転している時のベース部分の軸線とハンドル部分の長手方向軸線との成す角度が正確に９０°以下である
ことを特徴とするアプリケータ。
【請求項３４】
請求項１〜３３に記載のアプリケータ（３）と；
アプリケータ（３）を取外し可能に固定できる容器（２）と；
を有することを特徴とする包装及びアプリケータ装置。
【請求項３５】
アプリケータを取外している間に容器が、アプリケータエレメント（５）を拭くように構成したワイパー部材（９）を備えていることを特徴とする請求項３４に記載の包装及びアプリケータ装置。
【請求項３６】
顔又は身体の一部、特に唇、まぶた、まつげ、眉毛、又は髪の毛に化粧品を塗る方法において、
アプリケータエレメント（５）に化粧品を装填し、ハンドル部分（２０）の長手方向軸線（Ｙ）に対して垂直でない、さらに好ましくは平行でない回転軸線（Ｒ）のまわりでハンドル部分（２０）に対して回動可能であるベース部分（１０）にアプリケータエレメント（５）を固定する段階と；
二つの異なる適用モード間で、ハンドル部分（２０）に対するベース部分（１０）の方向を変える段階と；
を含むことを特徴とする方法。
【発明の詳細な説明】
【技術分野】
【０００１】
本発明は、化粧品又はケアー製品の包装及びアプリケータ装置に関するものである。    
【背景技術】
【０００２】
容器とアプリケータを有し、アプリケータが、容器に固定するのに適したベース部分をもつ閉じキャップ及び容器の長手方向軸線に対して垂直な回動軸線のまわりでベース部分及び自体の長手方向軸線に対してヒンジされたループを備えた物質を施す装置は従来提案されている（特許文献１）。
【特許文献１】フランス国特許出願ＦＲ２７０１１９６
【発明の開示】
【発明が解決しようとする課題】
【０００３】
構造を比較的単純にしてしかも使い勝手のよい他の装置の出現が要望されている。
【課題を解決するための手段】
【０００４】
本発明の一つの特徴において、本発明は、
アプリケータエレメントを担持するベース部分と；
一定の回転軸線のまわりで回動するようにベース部分に回転可能に装着され、長手方向軸線を備えたハンドル部分と；
を有し、
回転軸線及びハンドル部分の長手方向軸線が相互に垂直ではない
アプリケータが提供する。
【０００５】
一実施の形態では、回転軸線及びハンドル部分の長手方向軸線は平行ではない。従って、長手方向軸線は、例えば、回転軸線に対して斜めにのびることができる。
【０００６】
回転軸線及び長手方向軸線は任意に交叉してもよい。
【０００７】
ベース部分に対してハンドル部分を回動することにより、使用者はベース部分の軸線とハンドル部分の軸線との成す角度を変えることができる。
【０００８】
本発明では、所望の効果に依存して手を種々動かすことにより化粧を行うことができ、又はアプリケータのアタック角度、特にマスカラブラシのアタック角度を使用中に変えることができる。
【０００９】
例として、本発明によればまた、アプリケータエレメントが円形的に対称でない場合に、同一の手の動きで左目又は右目を化粧することができる。
【００１０】
一実施の形態では、ベース部分の軸線は回転軸線に垂直ではない。
【００１１】
本発明の一実施の形態では、ベース部分は、容器の閉じキャップとしても機能し得、ベース部分は、例えば、容器の首部にねじ込むことにより首部に固定するように構成される。従って、ベース部分は、容器に固定するための固定手段、例えばねじを備え得る。これらの固定手段は漏れ密封型のものであり得る。
【００１２】
ベース部分及びハンドル部分は、有利には、ベース部分に対して少なくとも一つ及び好ましくは少なくとも二つの予め画定した位置にハンドル部分をロックできるように共動し得る。
【００１３】
ハンドル部分及びベース部分は、例えば、ベース部分に対してハンドル部分の予め画定した位置に到達した時にクリック音を発生する及び（又は）固いポイントを生じるように共動し得る。
【００１４】
ハンドル部分及びベース部分は有利には、例えば親指と人指し指との間にベース部分を挟み、ハンドル部分を手のひらに他の指で保持することにより片手のみでハンドル部分に対してベース部分を回すことができるように構成され得る。
【００１５】
ベース部分及びハンドル部分の少なくとも一方は、外側に、凸状部例えば隆起部、突起部、溝又は凹部をもつ少なくとも一つの部分を備えることができ、それによりすべりを低減している。
【００１６】
ベース部分及びハンドル部分の少なくとも一方は、少なくとも部分的に良好に把持できる材料特にすべらない材料例えばエラストマーの被覆を備え得るか又はかかる材料で少なくとも部分的に構成され得る。
【００１７】
ベース部分はベース部分の軸線に対して傾斜した表面を備えることができ、この表面に対してハンドル部分が支持される。、該表面は実質的に平面であり得、そして回転軸線に対してほぼ垂直にのび得る。
【００１８】
ベース部分とハンドル部分との間のヒンジは種々の仕方で達成され得る。
【００１９】
ヒンジは、例えば、アプリケータを使用しながらベース部分に対してハンドル部分の方向が使用者の意図する方向になるように構成され得る。
【００２０】
従って、ベース部分とハンドル部分との接触はこの結果を得るのに十分な摩擦で行われ得る。
【００２１】
変形として及び（又は）付加的に、段部のような凸状の少なくとも一つの部分又は凸状の別の適当な部分は、ベース部分とハンドル部分との対向面の少なくとも一方に形成され得、ベース部分に対して予め画定した角度位置でハンドル部分を容易にロックできるようにし得る。
【００２２】
ベース部分及びハンドル部分は種々の仕方で、特にスナップ締め、リベットのような熱間又は冷間スナップ嵌め、リベット締め、又はクランプ締めによって互いに組立られ得る。
【００２３】
ベース部分及びハンドル部分の少なくとも一方は、ベース部分及びハンドル部分の他方のハウジング内に係合するピンを備え得る。
【００２４】
ピンは、上記ハウジング内にスナップ締め、リベットのようなスナップ嵌め、リベット締め、又はクランプ締めされ得る。
【００２５】
例として、ベース部分には、上記の傾斜した表面から突出し得る上記のピンが設けられ得る。ピンは、幾つかの部品から成ることができ、そして特に、ピンは任意には割りピンでもよい。ピンは一端に段部を備え、ハンドル部分の対応した開口にスナップ締めするようにされ得る。
【００２６】
ベース部分にピンを設けた結果、ベース部分は例えば、閉鎖の密封を妥協することなしに又はそのような密封を得る際の煩雑さなしに、容器の閉じキャップとして用いることができる。
【００２７】
ハンドル部分は、スナップ締めによりベース部分に固定できる挿入体を備えることができる。挿入体は、ハンドル部分の外面を画定する部片の内側に固定され得、部片には例えばその一端に単一開口が設けられ、この単一開口を介して挿入体が挿置される。
【００２８】
ハンドル部分にはまた、ベース部分の対応した開口に固定する、特にスナップ締めするようにされたピンが設けられ得る。
【００２９】
ハンドル部分には、溝又は凹部が設けられ得る。ハンドル部分には特に、フィン及びフィンの接続される部材が設けられ得、該部材はハウジングを備えることができ、このハウジングに、ベース部分に固定したピンが係合される。
【００３０】
本発明の実施の形態では、アプリケータは、一端にアプリケータエレメントを担持し、他端をベース部分に固定したステムを備え得る。ステムの軸線はベース部分の軸線と一致し得る。アプリケータエレメントはステムに取外し可能に固定され得る。
【００３１】
ベース部分及びハンドル部分の少なくとも一方は、少なくとも一つのマーカー特に目盛りを備え、またベース部分及びハンドル部分の他方は、ベース部分に対するハンドル部分の角度位置を確認できるようにするインデックスを備え得る。
【００３２】
本発明の別の特徴によれば、本発明は、
軸線をもちかつアプリケータエレメントを担持するベース部分と；
回転軸線のまわりで回動するようにベース部分に回転可能に装着されたハンドル部分と；
を有し、
回転軸線及びベース部分の軸線が相互に垂直ではない
アプリケータを提供する。
【００３３】
本発明の別の特徴によれば、本発明は、
アプリケータエレメントを担持し、容器に固定するための固定手段を備えたベース部分と；
回転軸線のまわりで回動するようにベース部分に回転可能に装着されたハンドル部分と；
を有する
アプリケータを提供する。
【００３４】
本発明の別の特徴によれば、本発明はまた、
アプリケータエレメントを担持するベース部分と；
一定の回転軸線のまわりで回動するようにベース部分に回転可能に装着され、長手方向軸線をもつハンドル部分と；
を有し、
回転軸線及びベース部分の軸線が相互に垂直ではなく、
アプリケータエレメントが、唇、まぶた、まつげ、眉毛、又は髪の毛に製品を塗るような形態に構成されている
アプリケータを提供する。
【００３５】
本発明の別の特徴によれば、本発明はまた、
軸線をもち、アプリケータエレメントを担持するベース部分と；
一定の回転軸線のまわりで回動するようにベース部分に回転可能に装着され、長手方向軸線をもつハンドル部分と；
を有し、
回転軸線のまわりでハンドル部分を回転している時のベース部分の軸線とハンドル部分の長手方向軸線との成す角度が正確に９０°以下である
アプリケータを提供する。本発明はまた、上記で定義したアプリケータと、アプリケータを取外し可能に固定できる容器とを有する包装及びアプリケータ装置を提供する。アプリケータを取外している間に容器は、アプリケータエレメントを拭くように構成したワイパー部材を備えることができる。
【００３６】
本発明のアプリケータによれば、拭き性能を低下させることなしに容器の漏れ密封閉じを全く容易に得ることができる。
【００３７】
本発明はまた、顔又は身体の一部、特に唇、まぶた、まつげ、眉毛、又は髪の毛に化粧品を塗る方法を提供し、この方法は、
任意の形態のものであり得るアプリケータエレメントに化粧品を装填し、ハンドル部分の長手方向軸線に対して垂直でない、さらに好ましくは平行でない回転軸線のまわりでハンドル部分に対して回動可能であるベース部分にアプリケータエレメントを固定する段階と；
二つの異なる適用モード間で、ハンドル部分に対するベース部分の方向を変える段階と；
を含む。
【００３８】
ベース部分に固定したステムの端部にアプリケータエレメントを配置し、そしてケラチン状繊維例えばまつげ又は眉毛に物質を塗るようにする際には、本方法は、
ステムを例えば実質的に水平にしてそしてハンドル部分の軸線に対してステムを実質的にゼロである第１の傾きにしてケラチン状繊維に化粧を施すこと；
ステムを例えば実質的に垂直にしてそしてハンドル部分に対してステムを第１の傾きと異なる傾きにして例えばハンドル部分の軸線に対してステムを最大に傾けてケラチン状繊維に化粧を施すこと；
を含み得る。
【００３９】
例として、第１の段階中に、ステムをそれの軸線のまわりで回動させることができ、これは、アプリケータエレメントがブラシで構成される場合に有効であり得る。第２の段階では、ステムをそれの軸線のまわりで回動させずにブラシで化粧は施され得る。
【００４０】
アプリケータエレメントが直線状ではなく、その自由端がステムの軸線に対して一側にオフセットしている際には、ハンドル部分及びベース部分は、ハンドル部分の軸線がステムの軸線と最大角度となる時に、ハンドル部分がアプリケータエレメントの自由端と同じ側にのびるように構成され得、これにより使い易くなり得る。
【発明を実施するための最良の形態】
【００４１】
本発明は、本発明を限定しない実施の形態についての以下の詳細な説明からより良く理解されよう。
【００４２】
図１〜図４に示す装置１は、長手方向軸線Ｘをもつ容器２及び容器２に取外し可能に固定できるアプリケータ３を有している。
【００４３】
アプリケータ３は、軸線Ｚをもつベース部分１０及び軸線Ｙをもつハンドル部分２０を備えており、ハンドル部分２０は、軸線Ｙとゼロでない角度αを成す回転軸線Ｒのまわりでベース部分１０に対して回動できる。回転軸線Ｒはベース部分に対して固定されている。ハンドル部分２０が回転軸線Ｒのまわりを回動している際のベース部分の軸線Ｚとハンドル部分の軸線Ｙとの成す角度βは、厳格には例えば常に９０°以下である。容器２は物質例えばマスカラを収容し、その場合、アプリケータはステム４を備えることかでき、ステム４はベース部分１０の軸線Ｚに沿ってのび、そしてステム４の底端部すなわち先端部４ａにはブラシ５が設けられている。
【００４４】
ブラシ５は任意の形式のものでよく、例えば、通常の捩った芯６の枝間に剛毛を取付けたものでもよい。
【００４５】
例として、ステム４の頂端部すなわち基端部４ｂは、ベース部分１０の内側に配置した挿入体７によって固定されている。
【００４６】
考察中の例では、芯６は直線状ではなく、それでブラシ５の先端５ａは軸線Ｚと一直線状ではないが、しかし当然、芯６が直線状であり、図２２に示すようにブラシ５の先端５ａが軸線Ｚと一直線上である場合も本発明の範囲内である。
【００４７】
容器２は、軸線Ｘの首部８及び外ねじを備えており、エラストマーワイパー部材９が固定され、エラストマーワイパー部材９の一端９ａは、ステム４に押圧するように構成した円形開口を画定している。ベース部分１０は容器に固定するための固定手段、例えばこの実施の形態では軸線Ｚの内ねじを備え、それによりベース部分を首部８にねじ係合することができ、軸線Ｘ、Ｚは一致させることができる。図面に見られるように、ワイパー部材９は首部８の頂縁部を覆うことができ、従ってベース部分１０を容器２にねじ込んで挿入体７を支持すると、容器に対して密封した閉鎖を得ること駕できるようになる。
【００４８】
ベース部分は容器上の他の固定手段を備えてもよい。
【００４９】
ベース部分は例えば摩擦又はスナップ締めにより容器に固定されるようにしてもよく、この目的のため例えば容器の首部の対応したビードと共動するような形状に構成した溝を備えることができる。固定手段は漏れ密封型であり得る。
【００５０】
ベース部分１０の外面には例えばセルのような凹凸部分１０ａを設けて、ベース部分を容易に把持できるようにすることができる。変形例として、ベース部分１０には、例えばオーバーモールドによりエラストマー被覆が形成され得る。ベース部分１０はまた良好な把持をもたらす材料、特にエラストマーで一体的に形成してもよい。
【００５１】
図示例では、ベース部分の軸線Ｚに対するステム４の方向は一定であるが、ステムは、ボール・ソケット継手によってベース部分に対して間接接続してもよい。
【００５２】
ベース部分１０に対して回転可能にハンドル部分２０を取付けることによって、及び回転軸線Ｒを傾斜させることによって、回転軸線Ｒのまわりでハンドル部分２０を半回転回動させて、ハンドル部分２０の長手方向軸線Ｙが軸線Ｚと合致する図２に示す位置から、軸線Ｙが軸線Ｚと角度βを成す図３に示す位置へ動かすことができる。
【００５３】
ハンドル部分２０は種々の仕方でベース部分１０に取付けることができる。
【００５４】
図１〜図４に示す例では、取付けは、ベース部分１０の傾斜面３１から突出したピン３０にハンドル部分２０を係合させることによって行われる。ハンドル部分は、円形開口３３を備えた挿入体３４を含むことができ、ピン３０はその端部に形成した段部３３ａによってスナップ締めにより円形開口３３内に保持され得る。傾斜面３１は回転軸線Ｒに対して通常垂直にのびている。傾斜面３１は、ベース部分１０とハンドル部分２０との間の接合平面を形成する。
【００５５】
軸線Ｚに対する傾斜面３１の傾きは、得ることのできる最大角度βに影響を及ぼす。
【００５６】
有利には、ベース部分１０には、傾斜面３１から突出させてタブ３７が設けられ、挿入体の凹凸部分３８と共動させて、ハンドル部分が図２及び図３に示す位置の一つにある時にカチッと音をたてるか硬いポイントを形成するようにしている。
【００５７】
ピン３０は別の仕方で形成することもでき、特に、図５に示す用に軸方向に割ることもできる。
【００５８】
図５に見られるように、ハンドル２０は軸線Ｙのまわりで円形の円筒状本体を備えることができ、この本体はその底端部にリム３９を備え、このリム３９にピン３０がスナップ締めされ得る。
【００５９】
図示したように、円筒状本体の頂端部は閉じ部材によって閉じられ得る。
【００６０】
以下、図６〜図１１を参照してヒンジのさらに別の変形実施の形態について説明する。
【００６１】
ハンドル部分２０には、図６に示すようにベース部分の対応した開口にスナップ締めするように構成されたピンが設けられ得る。図６に見られるように、ハンドル部分２０は、ベース部分１０の円形開口４２にスナップ締めできる割りピン４０を備えることができる。
【００６２】
ハンドル部分２０にはまた、図７及び図８に見られ得るように、フィン４５が設けられ得る。これらのフィン４５は本体４６に接続でき、本体４６はその底端部にハウジング４７を備えることができ、このハウジング４７内に、一層特に図９に示すようにピン３０がスナップ締めされ得る。
【００６３】
フィン４５はそれらの底部４５ａを介してベース部分１０の傾斜面３１に支持するようにして、ベース部分１０に対するハンドル部分２０の回転を減速できるようにしている。
【００６４】
必要な場合には、ベース部分には、フィン４５が通過する毎に使用者が感じることのできる少なくとも一つの隆起部４８を設けることができ、それにより、必要な場合に使用者はハンドル部分を所望の位置に容易に位置決めすることができる。ハンドル部分は僅かな隙間をもってベース部分に任意に取付けることができ、そのような位置決め用凹凸部を容易に通過させることができるようにしている。
【００６５】
図１０に示すように、ハンドル部分２０はまた、ハウジング５０を備えた単一部片で構成でき、ハウジング５０はその一端にリム５１を備え、このリム５１にピン３０がスナップ嵌めされ得る。ハウジング５０は開口５２を介して外部へ開いており、この開口５２は必要な場合には、図示していない閉じ部材で閉じることができる。
【００６６】
ピン３０は割りピンとすることができ、そこにロック用栓５４が係合され得る。
【００６７】
ピン３０はまた、その端部が図１１に示すようにリベットのようにスナップ嵌めされ得る。
【００６８】
ハンドル部分２０及びベース部分１０には、図１２に示すように、一方に目盛り５５を設け、他方にインデックスマーク５６を設けて、ベース部分１０に対するハンドル部分２０の角度方向を正確に確認できるようにしている。
【００６９】
ハンドル部分２０は図示した形態以外の形態に構成することができ、例として、図１３には、少なくとも一つの凹状縁部５７を持たせて軸線Ｙのまわりで円対称でないバンドル部分が示されている。
【００７０】
容器は円筒状本体を備える以外の形態に構成でき、例として、図１４には、上向きに拡がったほぼ切頭円錐状本体を備えた容器２が示されている。容器２はその頂端部にアドオン部品５８を備えることができ、このアドオン部品５８はねじ付き首部を備え、そして例えば発泡体で構成したワイパー部材を担持している。
【００７１】
例として、図１〜図４に示す包装及びアプリケータ装置は次のように用いら得る。
【００７２】
使用者は、軸線Ｚ、Ｙを実質的に一直線状に整列させて、図１５に示すように、ステム４をほぼ水平にしてまつげに化粧を施すことができ、必要な場合には、ブラシを回転させてブラシの剛毛の間にまつげを容易に挟むようにし、物質をまつげに平滑に塗りつけるようにすることができる。
【００７３】
そして、使用者は、軸線Ｚ、Ｙの成す角度βが最大となるようにベース部分に対してハンドル部分２０を１８０°回動させて、ブラシの端部でまつげに特にまつげを分離させて化粧を施すことができる。従って、使用者は、図１６に示すようにステム４をほぼ垂直にしてブラシを用いることができる。図１６においてブラシの自由端５ａはハンドル部分２０と同じ側に位置されることが観察されるべきである。
【００７４】
当然、本発明は，まつげ及び眉に化粧することに限定されず、本発明によるアプリケータは特に図1７に示すようにまぶたに化粧するのに用いることができ、又は図１８及び図１９に示すように唇に化粧するのに用いられ得る。図１８に見られるように、軸線Ｙと軸線Ｚの成す角度は下唇に化粧し手いる間には最大にでき、また図１９に見られるように、上唇に化粧し手いる間には上記角度は最小にできる。
【００７５】
図２０に示すように、ハンドル部分２０は、ベース部分１０と連続させずに、ハンドル部分２０とベース部分１０との間の接合部に肩部１００を形成するようにして構成することができる。このような構成により、例えば、軸線Ｚ、Ｒを傾斜面３１で交叉させなくできる。この実施の形態では、ベース部分の外径はハンドル部分の隣接した端部の外径より大きい。変形例では、軸線Ｙ、Ｒを傾斜面３１で交叉しないようにもできる。
【００７６】
アプリケータエレメントはその表面にフロック加工することができる。アプリケータエレメントはまた図２１に示すようにくし、芯を捩っていないブラシ又は毛管保持のアプリケータでもよい。アプリケータエレメントは気泡性及び（又は）エラストマー材料、特に発泡体で構成され得る。
【００７７】
本装置は、必要ならば物質の温度を上昇させるようにマイクロ波オーブン内に入れることができるように構成され得る。
【００７８】
本発明の上記の種々の実施の形態の全ての特徴を組み合わせることができる。
【００７９】
ベース部分及びハンドル部分は、非円形断面、たとえば楕円形又は多面形でもよい。  
【００８０】
本明細書の記載において、特別ことわらない限り用語“備える”は“少なくとも一つ備える”と同義であると理解されるべきである。
【図面の簡単な説明】
【００８１】
【図１】本発明の実施の形態を構成している包装及びアプリケータ装置の概略斜視図。
【図２】ハンドル部分をベース部分と直線状に整列させた状態で図１の装置を示す正面図。
【図３】ハンドル部分をベース部分に対して半回動させた状態での図２と同様な図。
【図４】図３の装置の概略長手方向断面図。
【図５】変形実施の形態の概略軸方向部分断面図。
【図６】ベース部分にスナップ締めできるピンをハンドル部分に設ける可能性を示す図。
【図７】ベース部分にハンドル部分を装着する別の仕方を示す図５と同様な図。
【図８】図７の矢印VIII−VIIIに沿った断面図。
【図９】図７の矢印IX−IXに沿った拡大図。
【図１０】ハンドル部分とベース部分との間のヒンジの他の実施の形態を示す概略部分長手方向断面図。
【図１１】ハンドル部分とベース部分との間のヒンジの他の実施の形態を示す概略部分長手方向断面図。
【図１２】アプリケータの別の実施の形態を示す概略部分正面図。
【図１３】アプリケータの別の実施の形態を示す概略部分正面図。
【図１４】本発明の別の実施の形態を構成している装置の正面図。
【図１５】ハンドル部分をベース部分にほぼ直線状にして図１〜図３のアプリケータを用いてまつげに化粧する仕方を示す図。
【図１６】ハンドル部分をベース部分に対して１８０°回動させてまつげに化粧する仕方を示す図。
【図１７】本発明による別の装置を用いてまぶたに化粧する仕方を示す図。
【図１８】及び
【図１９】本発明による別の装置を用いて唇に化粧する仕方を示す図。
【図２０】本発明の別の変形実施の形態においてハンドル部分とベース部分との接合を示す概略正面図。
【図２１】くしで構成したアプリケータエレメントを示す図。
【図２２】本発明の変形実施の形態の概略部分長手方向断面図。
【符号の説明】
【００８２】
１：装置
２：容器
３：アプリケータ
４：ステム
４ａ：先端部
４ｂ：基端部
５：ブラシ
５ａ：ブラシ５の先端
６：通常の捩った芯
７：挿入体
８：首部
９：ワイパー部材
９ａ：ワイパー部材９の一端
１０：ベース部分
２０：ハンドル部分
１０ａ：凹凸部分
３１：ベース部分１０の傾斜面
３０：ピン
３３：円形開口
３４：挿入体
３７：タブ
３８：挿入体の凹凸部分
３９：リム
４０：割りピン
４２：ベース部分１０の円形開口
４５：フィン
４５ａ：底部
４６：本体
４７：ハウジング
４８：隆起部
５０：ハウジング
５１：リム
５２：開口
５４：ロック用栓
５５：目盛り
５６：インデックスマーク
５７：凹状縁部
５８：アドオン部品
１００：肩部
Ｘ：長手方向軸線
Ｚ：ベース部分の軸線
Ｒ：回転軸線
Ｙ：ハンドル部分２０の長手方向軸線
【図１】
2004255185.tif 000003
【図２】
2004255185.tif 000004
【図３】
2004255185.tif 000005
【図４】
2004255185.tif 000006
【図５】
2004255185.tif 000007
【図６】
2004255185.tif 000008
【図７】
2004255185.tif 000009
【図８】
2004255185.tif 000010
【図９】
2004255185.tif 000011
【図１０】
2004255185.tif 000012
【図１１】
2004255185.tif 000013
【図１２】
2004255185.tif 000014
【図１３】
2004255185.tif 000015
【図１４】
2004255185.tif 000016
【図１５】
2004255185.tif 000017
【図１６】
2004255185.tif 000018
【図１７】
2004255185.tif 000019
【図１８】
2004255185.tif 000020
【図１９】
2004255185.tif 000021
【図２０】
2004255185.tif 000022
【図２１】
2004255185.tif 000023
【図２２】
2004255185.tif 000024